(57)【特許請求の範囲】
【請求項１】
夏期の使用期間が終了した後の水泳用屋外プールに水を貯留し、長期間放置する工程、そしてその貯留と長期間放置の工程にて発生した藻類もしくは植物プランクトンを含む貯留水を抜き、該プールの内壁面及び底面に付着している固形物を剥離除去する清掃を行う工程を含む水泳用屋外プールの維持清掃方法において、該プールから貯留水を抜く少なくとも１日〜５ヶ月前に貯留水に水酸化マグネシウム、水酸化マグネシウムと水酸化カルシウム及び／又は酸化カルシウムとの混合物、ドロマイト焼成物及びドロマイト焼成物の水和物からなる群より選ばれる少なくとも一種のマグネシウム含有アルカリ性材料を添加し、その貯留状態を維持することを特徴とする方法。
【請求項２】
プール内の水にマグネシウム含有アルカリ性材料を添加してから貯留水をその状態で１〜５ヶ月の維持する請求項１に記載の水泳用屋外プールの維持清掃方法。
【請求項３】
マグネシウム含有アルカリ性材料が、水酸化マグネシウムである請求項１に記載の水泳用屋外プールの維持清掃方法。
【請求項４】
マグネシウム含有アルカリ性材料が、水酸化マグネシウムと水酸化カルシウム及び／又は酸化カルシウムの混合物である請求項１に記載の水泳用屋外プールの維持清掃方法。
【請求項５】
上記混合物が、水酸化マグネシウムを３０質量％以上含有する請求項４に記載の水泳用屋外プールの維持清掃方法。
【請求項６】
マグネシウム含有アルカリ性材料が、ドロマイト焼成物又はドロマイト焼成物の水和物である請求項１に記載の水泳用屋外プールの維持清掃方法。
【請求項７】
マグネシウム含有アルカリ性材料の添加量が、プールの容積１ｍ3当たり０．０１〜０．１ｋｇの範囲の量である請求項１に記載の水泳用屋外プールの維持清掃方法。
【請求項８】
マグネシウム含有アルカリ性材料を粉末の状態で、水泳用屋外プール内の貯留水に散布する請求項１に記載の水泳用屋外プールの維持清掃方法。
【請求項９】
マグネシウム含有アルカリ性材料を水に分散させたスラリーとして、水泳用屋外プール内の貯留水に注入する請求項１に記載の水泳用屋外プールの維持清掃方法。
【請求項１０】
プール内壁面及び底面に付着している固形物の剥離除去を、固形物をブラシで擦る方法もしくは固形物に水を掛ける方法により行なう請求項１に記載の水泳用屋外プールの維持清掃方法。
【請求項１１】
請求項１乃至９の内のいずれかの項に記載の水泳用屋外プールの維持清掃方法の実施に用いるための水酸化マグネシウム、水酸化マグネシウムと水酸化カルシウム及び／又は酸化カルシウムとの混合物、ドロマイト焼成物及びドロマイト焼成物の水和物からなる群より選ばれる少なくとも一種のマグネシウム含有アルカリ性材料。
【発明の詳細な説明】
【技術分野】
【０００１】
本発明は、水泳用プールの清掃方法に関する。本発明はまた、水泳用プールの内壁面や底面に付着している藻類や植物性プランクトンを含む固形物を容易に剥離除去できるようにするための剥離補助剤にも関する。
【背景技術】
【０００２】
水泳用プール、特に、屋外に設けられた水泳用プールは、７、８月の夏期の使用期間が終了すると、プールの内壁面や底面の乾燥による劣化防止やプールの防火用水タンクとしての利用を目的として、水を貯留している状態のままで翌年のプール開きの前まで放置する。そして、プール開きの前には、一旦プール内の水を抜いた後、清掃し、次いで新たに水を注入して、プールの使用に備える。
【０００３】
水泳用プールの使用期間中は、プール内の水に殺菌剤あるいは消毒剤を定期的に散布するのが一般的である。このため、水泳用プールの使用期間中には、プール内の水中に藻類や植物プランクトンが多量に発生するということはない。しかしながら、プール使用後の放置期間中は、プール内の水に殺菌剤や消毒剤を散布しないため、往々にしてプール内の水中に藻類や植物プランクトンが多量に発生し、プールの内壁面や底面に付着することがある。このため、プール開きの前に行なう清掃の際には、プール内の水を抜いた後、プールの内壁面や底面に付着した藻類や植物プランクトンなどを含む固形物を剥離除去する必要がある。しかしながら、プールの内壁面や底面に付着している固形物はぬめりがあるため、プールの底面に多量の固形物が付着していると、固形物の除去作業中に作業者が足を滑らせ易く危険である。
【０００４】
特許文献１には、屋内の台所、浴室又は洗面所の排水管に発生したぬめりを除去する方法として水酸化マグネシウムや酸化マグネシウムを含有する粒状物を、排水管の開口部又はその周囲などに配置して、該排水管の開口部もしくはその周囲から排水管内に水を流すことによって、水酸化マグネシウムや酸化マグネシウムを溶解した水をぬめりに接触させる方法が記載されている。但し、特許文献１には、水泳用プール、特に、屋外に設けられた水泳用プールに発生したぬめりの除去に関する記載はない。
【０００５】
一方、水酸化マグネシウムや酸化マグネシウムは、プール内の水の中和剤として利用することが検討されている。特許文献２には、プール水の殺菌消毒に、塩素ガス、塩素化イソシアヌル酸及びクロロブロモジメチルヒダントを用いてプール内の水の消毒を行なう方法において、プール水の循環ろ過系に、カルシウム又はマグネシウムの酸化物、水酸化物及び炭酸塩、カルシウム及び／又はマグネシウムの酸化物又はケイ酸を主成分とするスラグ並びにカルシウム及び／又はマグネシウムのケイ酸を主成分とする無機鉱物より選ばれた少なくとも一種からなる中和剤を充填した容器を設け、該容器内でプール水と中和剤を接触せしめ、該中和剤をプールの循環水に溶解させることにより、プール内の水のｐＨを６〜８に制御することが記載されている。但し、特許文献２には、プール使用後の放置期間中のプール内の水の維持管理に関する記載はない。
【先行技術文献】
【特許文献】
【０００６】
【特許文献１】特開２００９−１４９７０５号公報
【特許文献２】特開平８−２０６６６９号公報
【発明の概要】
【発明が解決しようとする課題】
【０００７】
本発明の目的は、夏期の使用期間が終了した後、水を貯留した状態で放置され、水中に藻類や植物性プランクトンが発生している水泳用プールについて、安全かつ容易に清掃作業を行なえるようにすることである。本発明の目的はまた、水を貯留した状態で長期間放置された水泳用プールの内壁面や底面に付着している藻類や植物性プランクトンなどを含む固形物を容易に剥離除去できるようにするための剥離補助剤を提供することにもある。
【課題を解決するための手段】
【０００８】
本発明者は、水を貯留した状態で長期間放置されていて、水中に藻類もしくは植物プランクトンが発生した水泳用プール内の水に、水酸化マグネシウム、水酸化マグネシウムと水酸化カルシウム及び／又は酸化カルシウムとの混合物、ドロマイト焼成物及びドロマイト焼成物の水和物などのマグネシウム含有アルカリ性材料を添加して、プールに水を貯留した状態で１日〜５ヶ月維持しておくと、水中の藻類や植物プランクトンの量が減少し、プールから水を抜いた後のプールの内壁面や底面に付着している固形物の量も大幅に少なくなり、清掃作業者が足を滑らせることがなく、安全に清掃作業を行なうことができ、またプール内壁面に付着している固形物は、ブラシで擦る方法や水を掛ける方法などの簡便な方法で容易に剥離除去できることを見出し、本発明に到達した。マグネシウム含有アルカリ性材料の添加によって、プール内の水中での藻類や植物プランクトンの量が少なくなる理由は、マグネシウム含有アルカリ性材料が水中で溶解して、プール内の水が、通常はｐＨが１０〜１３，特に１１〜１３のアルカリ性になることによって好気性細菌が活性化し、その活性化した好気性細菌が水中に発生している藻類や植物プランクトンを分解するためであると考えられる。また、プールの内壁面や底面に付着している固形物が容易に剥離除去できるようになる理由は、プール内の水がアルカリ性に維持されることによって、プールの内壁面や底面に付着している固形物（藻類や植物プランクトン）が部分的に分解して、プールの内壁面や底面から浮いた状態（プールの内壁面や底面から剥がれた状態）になるためであると考えられる。
【０００９】
従って、本発明は、水を貯留した状態で長期間放置されていて、水中に藻類もしくは植物プランクトンが発生した水泳用プール内の水に、水酸化マグネシウム、水酸化マグネシウムと水酸化カルシウム及び／又は酸化カルシウムとの混合物、ドロマイト焼成物及びドロマイト焼成物の水和物からなる群より選ばれる少なくとも一種のマグネシウム含有アルカリ性材料を添加し、次いで該プールを水が貯留された状態で１日〜５ヶ月維持した後、該プール内の水を抜いて、該プールの内壁面及び底面に付着している藻類もしくは植物プランクトンを含む固形物を剥離除去する水泳用プールの清掃方法にある。
【００１０】
本発明の水泳用プールの清掃方法の好ましい態様は、次の通りである。
（１）プール内の水にマグネシウム含有アルカリ性材料を添加してから、プールを水が貯留された状態で維持する期間が１〜５ヶ月の範囲にある。
（２）マグネシウム含有アルカリ性材料が、水酸化マグネシウムである。
（３）マグネシウム含有アルカリ性材料が、水酸化マグネシウムと水酸化カルシウム及び／又は酸化カルシウムの混合物である。
（４）上記（３）の混合物が、水酸化マグネシウムを３０質量％以上含有する。
（５）マグネシウム含有アルカリ性材料が、ドロマイト焼成物又はドロマイト焼成物の水和物である。
（６）マグネシウム含有アルカリ性材料の添加量が、プールの容積１ｍ3当たり０．０１〜０．１ｋｇの範囲の量である。
（７）マグネシウム含有アルカリ性材料を粉末の状態で、水泳用プール内の水に散布する。
（８）マグネシウム含有アルカリ性材料を水に分散させたスラリーとして、水泳用プール内の水に注入する。
（９）プール内壁面及び底面に付着している固形物の剥離除去を、固形物をブラシで擦る方法もしくは固形物に水を掛ける方法により行なう。
【００１１】
本発明はまた、水酸化マグネシウム、水酸化マグネシウムと水酸化カルシウム及び／又は酸化カルシウムとの混合物、ドロマイト焼成物及びドロマイト焼成物の水和物からなる群より選ばれる少なくとも一種のマグネシウム含有アルカリ性材料からなる、水泳用プールの内壁面及び底面に付着している藻類もしくは植物プランクトンを含む固形物の剥離補助剤にある。
【発明の効果】
【００１２】
本発明の水泳用プールの清掃方法によれば、プール内の水中に存在する藻類や植物プラントンの量が減少して、水を抜いた後のプールの内壁面や底面に付着している固形物の量が少なくなる。さらに、清掃作業者がプールの底面に降りて、プールの内壁面や底面に付着している固形物の除去作業を行なっても、清掃作業者は足を滑らせずに安全に除去作業を行なうことができる。このため、プールの内壁面や底面に付着している固形物の除去作業の時間を短縮できる。従って、本発明の水泳用プールの清掃方法は、夏期にのみ使用され、その使用後は長期間にわたって水を貯留した状態で放置される屋外の水泳用プール、例えば、学校の水泳用プールの清掃方法として有用である。
【発明を実施するための形態】
【００１３】
発明の水泳用プールの清掃方法では、水を貯留した状態で長期間放置されていて、水中に藻類もしくは植物プランクトンが発生した水泳用プール内の水に、水酸化マグネシウム、水酸化マグネシウムと水酸化カルシウム及び／又は酸化カルシウムとの混合物、ドロマイト焼成物及びドロマイト焼成物の水和物からなる群より選ばれる少なくとも一種のマグネシウム含有アルカリ性材料を添加する。屋外のプールでは気温や天候などの条件にもよるが、夏期のプールの使用期間が終了して、通常は２ヶ月間以上、特に３ヶ月間以上放置すると、水中に藻類や植物プランクトンが多量に発生して水が緑色に濁ってプール底面の状態を目視で観察できない状態となる。なお、水泳用プールの使用期間が終了したときとは、プール内の水に殺菌剤あるいは消毒剤を定期的に散布することを止めたときをいう。
【００１４】
本発明で使用する水酸化マグネシウムは、海水にアルカリを加えて得た水酸マグネシウムであることが好ましい。酸化カルシウムは、石灰石を焼成して得た物であることが好ましい。水酸化カルシウムは、酸化カルシウムを水和（消化）させて得たものであることが好ましい。ドロマイト焼成物は、ドロマイト（カルシウムとマグネシウムとを含む炭酸塩）を焼成して得た酸化物をいう。ドロマイト焼成物の水和物とは、ドロマイト焼成物と水とを反応させたものをいう。
【００１５】
マグネシウム含有アルカリ性材料は、水酸化マグネシウム、もしくは水酸化マグネシウムと水酸化カルシウム及び／又は酸化カルシウムの混合物であることが好ましい。水酸化マグネシウムと水酸化カルシウム及び／又は酸化カルシウムの混合物では、水酸化カルシウム及び／又は酸化カルシウムの含有量が多く、水酸化マグネシウムの含有量が少ないと、添加後の水のｐＨが過度に高くなることがある。このため、混合物全体に対する水酸化マグネシウムの含有率は、好ましくは３０質量％以上であり、より好ましくは５０〜９５質量％の範囲である。
【００１６】
マグネシウム含有アルカリ性材料の添加方法としては、マグネシウム含有アルカリ性材料を粉末の状態でプール内の水に散布する方法、及びマグネシウム含有アルカリ性材料を水に分散させてスラリーの状態としてプール内の水に注入する方法を挙げることができる。マグネシウム含有アルカリ性材料の添加量は、プールの容積１ｍ3当たりの量として０．０１〜０．１ｋｇの範囲にあることが好ましく、０．０２〜０．０８ｋｇの範囲にあることが特に好ましい。
【００１７】
プール内の水に散布するマグネシウム含有アルカリ性材料の粉末は、平均粒子径が１μｍ〜３ｍｍの範囲にあることが好ましく、１μｍ〜１ｍｍの範囲にあることが特に好ましい。マグネシウム含有アルカリ性材料の粉末の平均粒子径は、レーザー回折散乱法あるいは篩法を用いて測定することができる。平均粒子径が１００μｍ以下となる場合は、レーザー回折散乱法を用いて、平均粒子径を測定することが好ましい。マグネシウム含有アルカリ性材料の粉末は、粒状もしくは顆粒状に造粒して使用してもよい。なお、造粒物は解砕を行なった後、平均粒子径を測定する。
【００１８】
本発明の水泳用プールの清掃方法では、マグネシウム含有アルカリ性材料添加後のプールを水が貯留された状態で１日〜５ヶ月の範囲、好ましくは１〜５ヶ月の範囲、特に好ましくは１〜３ヶ月の範囲の期間維持する。マグネシウム含有アルカリ性材料添加後のプールの維持期間中は、プール内の水を静置してもよいし、適宜撹拌してもよい。マグネシウム含有アルカリ性材料の添加によって、プール内の水はｐＨが１０〜１３のアルカリ性になって、水中の藻類や植物プランクトンが減少し、プールの内壁面や底面に付着している固形物が部分的に分解して、プールの内壁面や底面から浮いた状態となる。
【００１９】
本発明の水泳用プールの清掃方法では、マグネシウム含有アルカリ性材料添加後のプールを所定期間維持した後、プール内の水を抜いて、プールの内壁面や底面に付着している藻類や植物プランクトンを含む固形物を剥離除去する。プール内の水を抜く前に、水に酸を加えて水を中性に調整してもよい。プールの内壁面や底面に付着している固形物は、固形物をブラシで擦る方法もしくは固形物に水を掛ける方法によって容易に剥離除去することができる。
【００２０】
清掃後のプールには新しい水を注入することによって、水泳用プールとして利用することができる。水泳用プールの使用中は、プール内の水に殺菌剤あるいは消毒剤を定期的に散布することにより、プール内の水中での藻類や植物プランクトンの発生は抑制される。
【実施例】
【００２１】
［実施例１］
屋外に設置された水泳用プール（容量：１５ｍ3）を９月から翌年の４月まで、水を貯留した状態で静置した。この間、プール内の水に殺菌剤や消毒剤を散布しなかった。静置後のプール内の水中には藻類等が多量に発生していて、プール底面の状態を目視で確認できないレベルにまで緑色に濁っていた。４月１日に、プール内の水に水酸化マグネシウム（粒径：３．８μｍ）１ｋｇを散布し（プールの容積１ｍ3当たりの水酸化マグネシウムの散布量：０．０６７ｋｇ）、水を貯留した状態で静置した。水酸化マグネシウム散布直後のプール内の水のｐＨを測定したところ、ｐＨは１０であった。
【００２２】
水酸化マグネシウムを散布してから２ヶ月後の６月１日、プール内の水中の藻類等の量は大幅に少なくなっていて、プール底面の状態を目視で確認できるレベルにまで水の透明度は高くなっていた。また、プール内の水のｐＨを測定したところ、ｐＨは８以下にまで低下していた。そして、プール内の水を抜いたところ、プールの内壁面と底面に付着している固形物の量は、後述の比較例１の場合と比較して少量であった。次いで、プール底面に清掃作業者が降りて、プールの内壁面と底面の清掃作業を行なったところ、プール底面で滑ることなく安全に清掃作業を行なうことができた。また、プール内壁面の固形物は、デッキブラシで１回擦るだけで剥がし落とすことができた。
【００２３】
［実施例２］
屋外に設置された水泳用プール（容量：２００ｍ3）を９月から翌年の４月まで、水を貯留した状態で静置した。この間、プール内の水に殺菌剤や消毒剤を散布しなかった。静置後のプール内の水中には藻類等が多量に発生していて、プール底面の状態を目視で確認できないレベルにまで緑色に濁っていた。４月１日に、プール内の水に水酸化マグネシウム（粒径：３．８μｍ）１０ｋｇと水酸化カルシウム（粒径：５．６μｍ）２ｋｇを含む混合物を散布し（プールの容積１ｍ3当たりの、水酸化マグネシウムの散布量：０．０５０ｋｇ、水酸化カルシウムの散布量：０．０１０ｋｇ）、水を貯めた状態で静置した。水酸化マグネシウムと水酸化カルシウム散布直後のプール内の水のｐＨを測定したところ、ｐＨは１２であった。
【００２４】
水酸化マグネシウムを散布してから２ヶ月後の６月１日、プール内の水中の藻類等の量は大幅に少なくなっていて、プール底面の状態を目視で確認できるレベルにまで水の透明度は高くなっていた。また、プール内の水のｐＨを測定したところ、ｐＨは８以下にまで低下していた。そして、プール内の水を抜いたところ、プールの内壁面と底面に付着している固形物の量は、後述の比較例１の場合と比較して少量であった。次いで、プール底面に清掃作業者が降りて、プールの内壁面と底面の清掃作業を行なったところ、プール底面で滑ることなく安全に清掃作業を行なうことができた。また、プール内壁面の固形物は、デッキブラシで１回擦るだけで剥がし落とすことができた。
【００２５】
［実施例３］
屋外に設置された水泳用プール（容量：４４０ｍ3）を９月から翌年の４月まで、水を貯留した状態で静置した。この間、プール内の水に殺菌剤や消毒剤を散布しなかった。静置後のプール内の水中には藻類等が多量に発生していて、プール底面の状態を目視で確認できないレベルにまで緑色に濁っていた。４月１日に、プール内の水に水酸化マグネシウム（粒径：３．８μｍ）６．６ｋｇと水酸化カルシウム（粒径：５．６μｍ）６．６ｋｇを含む混合物を散布し（プールの容積１ｍ3当たりの、水酸化マグネシウムの散布量：０．０１５ｋｇ、水酸化カルシウムの散布量：０．０１５ｋｇ）を散布し、水を貯めた状態で静置した。水酸化マグネシウム散布直後のプール内の水のｐＨを測定したところ、ｐＨは１２であった。
【００２６】
水酸化マグネシウムを散布してから２ヶ月後の６月１日、プール内の水中の藻類等の量は大幅に少なくなっていて、プール底面の状態を目視で確認できるレベルにまで水の透明度は高くなっていた。また、プール内の水のｐＨを測定したところ、ｐＨは８にまで低下していた。そして、プール内の水を抜いたところ、プールの内壁面と底面に付着している固形物の量は、後述の比較例１の場合と比較して少量であった。次いで、プール底面に清掃作業者が降りて、プールの内壁面と底面の清掃作業を行なったところ、プール底面で滑ることなく安全に清掃作業を行なうことができた。また、プール内壁面の固形物は、デッキブラシで１回擦るだけで剥がし落とすことができた。
【００２７】
［比較例１］
屋外に設置された水泳用プール（容量：４４０ｍ3）を９月から翌年の６月まで、水を貯留した状態で静置した。この間、プール内の水に殺菌剤や消毒剤を散布しなかった。静置後のプール内の水中には藻類等が多量に発生していて、プール底面の状態を目視で確認できないレベルにまで緑色に濁っていた。
【００２８】
６月１日に、プール内の水を抜いたところ、プールの内壁面と底面には多量の固形物が付着していた。次いで、プール底面に清掃作業者が降りて、プールの内壁面と底面の清掃作業を行なったところ、プール底面で滑り易かった。また、プール内壁面の固形物は、デッキブラシで数回擦るだけでは剥がし落とすことができなかった。